(57)【特許請求の範囲】
【請求項１】
本体（３）のハウジング（４）の側面（４ａ）から前方に突出するガイドバー部分（６）を有し、ソーチェーン（８）が、前記側面（４ａ）から前記ガイドバー部分（６）の先端まで移動する進み経路部分（Ｐｂ）と、前記ガイドバー部分（６）の前記先端から前記側面（４ａ）まで移動する戻り経路部分（Ｐａ）とからなるソーチェーン走行経路（Ｐ）に沿って循環摺走運動するチェーンソー（２）であって、
前記ハウジング（４）内に燃料タンク及び潤滑オイルタンク（４ｃ）が設けられており、
前記ハウジング（４）を保護するための保護プレート部材（２０）を有し、この保護プレート部材（２０）は、前記ハウジングの内部空間に設けられた燃料タンク及び潤滑オイルタンクの近傍のハウジング（４）の部分に取付られており、前記保護プレート部材（２０）は、前記ハウジング（４）の前記側面（４ａ）のうち、前記ソーチェーン走行経路（Ｐ）に隣接する部分を覆うための側面保護部分（２０ａ）と、前記ハウジング（４）の前面（４ｂ）のうち、前記戻り経路部分（Ｐａ）に隣接する部分を覆う前面保護部分（２０ｂ）と、を含む、ことを特徴とするチェーンソー。
【請求項２】
前記前面保護部分は、前記側面保護部分（２０ａ）から前記ハウジング（４）の前記前面（４ｂ）に沿って折り曲げられた延長部分（２０ｂ）で構成されている、ことを特徴とする請求項１に記載のチェーンソー。
【請求項３】
前記ハウジング（４）の前記前面（４ｂ）には、前記延長部分（２０ｂ）の縁部（２０ｂ’）を受け入れて保持するための保持部（２２）が設けられている、ことを特徴とする請求項２に記載のチェーンソー。
【発明の詳細な説明】
【０００１】
【産業上の利用分野】
本発明は、木の幹や枝等を切断するチェーンソーに関する。
【従来技術】
従来から、空冷式２サイクル内燃機関によって駆動される、木の幹などを切断するチェーンソーが知られている。該チェーンソーは、本体から前方に延びる、ソーチェーンを案内するためのガイドバー部分を有し、前記ソーチェーンは、前記本体から前記ガイドバー部分の先端まで移動する進み経路部分と、前記ガイドバー部分の前記先端から前記本体まで移動する戻り経路部分とからなる、ループ状のソーチェーン走行経路に沿って循環摺走運動する。前記本体のアルミニウム合金やプラスチック材で形成されたハウジングの内部には、前記空冷式２サイクル内燃機関のための燃料タンクや、前記ソーチェーンの潤滑のためのオイルタンクが形成されている。
【０００２】
【発明が解決しようとする課題】
前記ソーチェーンは、前記ガイドバーの周囲の案内溝によって案内されながら、前記チェーン走行経路に沿って移動するが、作業中に、前記ソーチェーンが、前記案内溝から外れてしまう場合がある。前記ソーチェーンは高速で走行しているので、前記案内溝から外れたり、切れたりすると、前記ハウジングの壁面に衝突してしまい、前記燃料タンク等を形成する前記ハウジングの壁部を破損し、液洩れをおこすおそれがある。
そこで、本発明の目的は、ソーチェーンが外れることによってハウジングが損傷を受けるのを防止することができるチェーンソーを提供することにある。
【０００３】
【課題を解決するための手段】
本発明の上記目的は、本体のハウジングの側面から前方に突出するガイドバー部分を有し、ソーチェーンが、前記側面から前記ガイドバー部分の先端まで移動する進み経路部分と、前記ガイドバー部分の前記先端から前記側面まで移動する戻り経路部分とからなるソーチェーン走行経路に沿って循環摺走運動するチェーンソーであって、前記ハウジングを保護するための保護プレート部材を有し、該保護プレート部材は、前記ハウジングの前記側面のうち、前記ソーチェーン走行経路に隣接する部分を覆うための側面保護部分と、前記ハウジングの前面のうち、前記戻り経路部分に隣接する部分を覆う前面保護部分と、を含む、ことを特徴とするチェーンソーによって達成することができる。
本発明においては、前記保護プレート部材によって、前記ハウジングの前記側面および前記前面が覆われているので、前記ソーチェーンが外れたり切れたりして前記ハウジングに衝突することによって、前記ハウジングの壁面が破損してしまうのを防止することができる。すなわち、前記保護プレート部材の前記側面保護部分によって、前記ソーチェーン走行経路を高速で移動していた前記ソーチェーンが、前記側面に衝突することによって前記壁面が破損してしまうのを防止することができる。また、前記前面保護部分によって、前記戻り経路部分に沿って高速で移動していた前記ソーチェーンが、慣性で前記ハウジングの前記前面に衝突することによって前記壁面が破損してしまうのを防止することができる。
【０００４】
【発明の実施の形態】
以下、添付の図面を参照しつつ、本発明にかかるチェーンソーの一実施の形態について説明する。
図１は、本実施形態にかかるチェーンソーの本体の右側面図である。なお、図において、ガイドバーおよびソーチェーンの一部を二点鎖線で示す。図２は、図１に示す本体のサイドカバー部分を取外した状態を示す右側面図である。また、図３は、図２に示す本体の部分前面図である。更に、図４は、保護プレート部材の右側面図である。
【０００５】
図１に示すように、チェーンソー２は、内部に空冷式２サイクル内燃機関、燃料タンクやソーチェーン潤滑オイルタンク４ｃ等が形成されている略直方体状の本体３と、該本体３のハウジング４の右側面４ａから前方に延びるガイドバー部分６（二点鎖線で一部分だけ示す）と、該ガイドバー部分６によって案内されるソーチェーン８と、を有する。前記ガイドバー部分６の長手方向中心軸線を、図１にＯ−Ｏで示す。図示しないが、前記ガイドバー部分６には、前記本体３に対して取付ける基端部を除いた周囲に、前記ソーチェーン８を案内するための案内溝が、それ自体周知の態様で形成されている。前記ハウジング４の前記右側面４ａは、該右側面に植設されたスタッドボルト４０とナット４１を用いて着脱自在なサイドカバー部材１０によって覆われている。
【０００６】
図２は、前記サイドカバー部材１０を取外した状態を示す。前記ハウジング４の前記側面４ａのうち、前面４ｂに隣接した部分には、前記ガイドバー部分６の前記基端部を取付けるためのガイドバー取付け座部１２が設けられている。更に、前記右側面４ａには、前記ガイドバー取付け座部１２の後方に隣接して、前記ソーチェーン８を駆動するためのソーチェーン駆動部１４が設けられている。該ソーチェーン駆動部１４は、前記空冷式２サイクル内燃機関のクランクシャフト１６に駆動上連結され、かつ、前記側面４ａから横方向に突出した前記クランクシャフト１６の先端に設けられた遠心クラッチ１８と、前記側面４ａと前記遠心クラッチ１８との間に、従来周知の構成と同様に、クラッチドラム１８ａと一体のソーチェーンドライブスプロケット（図示せず）を有する。前記ソーチェーン８は、前記スプロケットと前記ガイドバー部分６の外周囲の前記案内溝に巻き掛けられている。前記ソーチェーン８は、前記右側面４ａから前記ガイドバー部分６の先端まで移動する進み経路部分Ｐｂと、前記ガイドバー部分６の前記先端から前記右側面４ａまで移動する戻り経路部分Ｐａと、からなるソーチェーン走行経路Ｐに沿って循環摺走運動する。
【０００７】
前記ガイドバー取付け座部１２の近傍には、前記ハウジング４の壁部を保護するための薄鋼板等をプレス成形した金属製の保護プレート部材２０が取付けられている。該保護プレート部材２０は、前記ハウジング４の前記右側面４ａのうち、前記ソーチェーン走行経路Ｐに隣接する部分を覆うための側面保護部分２０ａ（図２および図４参照）と、前記ハウジング４の前面４ｂのうち、前記戻り経路部分Ｐａに隣接する部分を覆う前面保護部分２０ｂ（図３参照）と、前記ガイドバー取付け座部１２より下側の部分を覆う下方保護部分２０ｆと、を有する。前記側面保護部分２０ａは、前記右側面４ａを確実に保護するように、前記ソーチェーン走行経路Ｐの幅よりも広い幅Ｗ（図４参照）を有し、かつ、前記ハウジング４の前記前面４ｂと前記ソーチェーン駆動部１４との間の領域の略全体を覆う大きさを有する。また、前記前面保護部分２０ｂは、前記前面４ｂを確実に保護するように、前記戻り経路部分Ｐａに沿って走行する前記ソーチェーン部分８ａの幅よりも大きい幅ｗを有する。前記前面保護部分２０ｂは、前記側面保護部分２０ａの下方部分である前記下方保護部分２０ｆから一体的に延びる舌状に形成され、該舌状部分２０ｂは、前記前面４ｂに沿って折り曲げ加工されている。なお、前記燃料タンク等４ｃは、前記ハウジング４の内部空間のうち、前記保護プレート部材２０が取付けられた部分の近傍にも形成されている。
【０００８】
前記ガイドバー部分６の前記基端部は、前記保護プレート部材２０に形成された孔２０ｃ（図２参照）に挿通された前記スタッドボルト４０に前記サイドカバー部材１０をはめ、前記ナット４１で締め付けることにより、前記ハウジング４に対して固定される。なお、前記保護プレート部材２０に形成された下側の長孔２０ｄは、前記ソーチェーン８を前記ガイドバー部分６に対して取付ける際に、前記ソーチェーン８の張力を調節するためのものである。すなわち、前記ソーチェーン８を前記ドライブスプロケットと前記ガイドバー部分６とに巻き掛けた後、前記ガイドバー部分６に係止する張り駒４ｄを前記長孔２０ｄに沿って前後に移動させ、所望の張力が得られる位置で前記ナット４１を本締めする。
図３を見て分かるように、前記ハウジング４の前記前面４ｂには、前記舌状部分２０ｂの先端縁部２０ｂ’を受け入れて保持するための、差し込み式保持部２２が形成されている。より詳細には、該保持部２２は、前記前面４ｂに形成された一対の爪部２２で構成されている。各爪部２２は、前記ハウジング４の前記右側面４ａ側に向かって横方向に延び、前記舌状部分２０ｂの前記縁部２０ｂ’を挿入することによって、前記舌状部分２０ｂが、前記ハウジング４の前記前面４ｂと前記爪部２２，２２との間に挟持される。
【０００９】
なお、前記下方保護部分２０ｆの下端部にはねじ挿通孔２０ｇが形成されていて、ソーチェーンが切れた時に作業者に当たらないように受け止めるチェーンキャッチャー３０と一緒に取付用ビス３１で共締めされて、前記保護プレート部材２０が、前記ハウジング４側に保持される。
本実施形態にかかる前記チェーンソー２においては、前記ソーチェーン８が駆動されている間に、該ソーチェーン８が前記ソーチェーン走行経路Ｐから外れたり切れたりした場合、前記ソーチェーン８の衝突によって前記ハウジング４が破損するのを、前記保護プレート部材２０によって防止する。すなわち、外れたり切れたりした前記ソーチェーン８は、前記ガイドバー取付け座部１２の近傍において前記右側面４ａ側の前記ハウジング４に衝突する。また、前記ソーチェーン８のうち、前記ガイドバー部分６の先端部から前記本体３に向かって後方に走行する部分（図２において下方の部分）が、慣性で前記ハウジング４の前記前面４ｂに対して衝突する。これらの前記右側面４ａおよび前記前面４ｂは、前記側面保護部分２０ａと前記舌状部分２０ｂによって覆われているので、前記ハウジング４が破損するのが防止される。
また、本実施形態にかかる前記チェーンソー２においては、前記保護プレート部材２０が、前記前面４ｂを覆うのに必要最小限の幅を有する前記舌状部分２０ｂとして形成されているので、前記ハウジング４の前記前面４ｂに沿って曲げ加工が容易である。
更に、本実施形態にかかる前記チェーンソー２においては、前記保護プレート部材２０の前記舌状部分２０ｂを、前記爪部２２に挿入して固定するので、組立てが容易である。
【００１０】
本発明は、以上の実施の形態に限定されることなく、特許請求の範囲に記載された発明の範囲内で種々の変更が可能であり、それらも本発明の範囲内に包含されるものであることはいうまでもない。
例えば、本実施形態にかかる前記保護プレート部材２０においては、前記延長部分２０ｂは舌状に形成されているが、該延長部分２０ｂは、少なくとも前記戻り経路部分Ｐａの近傍を覆う大きさを有していれば、前記ハウジング４の前記前面４ｂを覆ういかなる大きさや形状であってもよく、例えば、前記側面保護部分２０ａと同じ上下幅を有していてもよい。
また、本実施形態にかかる前記保護プレート２０は、前記側面保護部分２０ａと一体的に形成された前記前面保護部分２０ｂを有しているが、前記前面保護部分２０ｂは、前記側面保護部分２０ａと別部品であってもよい。
【発明の効果】
本発明によれば、ソーチェーンが外れたり切れたりすることによってハウジングが損傷を受けるのを、既存の部材の一部形状を変更して簡単に防止可能なチェーンソーを提供することができる。
【図面の簡単な説明】
【図１】本実施形態にかかるチェーンソーの本体の右側面図である。
【図２】図１に示す本体のサイドカバー部分を取外した状態を示す右側面図である。
【図３】図２に示す本体の部分前面図である。
【図４】保護プレート部材の右側面図である。
【符号の説明】
２    チェーンソー
３    本体
４    ハウジング
４ａ  側面（右側面）
４ｂ  前面
６    ガイドバー部分
８    ソーチェーン
１２    ソーチェーン取付け部
２０    保護プレート部材
２０ａ  側面保護部分
２０ｂ  前面保護部分（延長部分、舌状部分）
２０ｂ’縁部
２２    保持部（爪部）
Ｐ    ソーチェーン走行経路
Ｐａ  戻り経路部分
Ｐｂ  進み経路部分
【図１】
0004132625.tif 000002
【図２】
0004132625.tif 000003
【図３】
0004132625.tif 000004
【図４】
0004132625.tif 000005